(57)【特許請求の範囲】
【請求項１】
打球槌の打球力を調整するばね力調整機構に打球力を非直線的に変動させる機構を設けたパチンコ機用打球力調整装置において、
ばね力調整機構を、ばね機構と調整機構間をワイヤで連繋したものとしたうえに、打球力を非直線的に変動させる機構を、ばね力調整機構の偏心させた一つまたは複数のワイヤ巻き掛け面としたことを特徴とするパチンコ機用打球力調整装置。
【発明の詳細な説明】
【０００１】
【発明の属する技術分野】
本発明は、パチンコ遊技時、遊技者がパチンコの打球力を調整するために用いるパチンコ機用打球力調整装置に関するものである。
【０００２】
【従来の技術】
従来、パチンコ機用打球力調整装置のばね力調整機構は、打球槌に打球力を付勢するばね機構とばね機構のばね力を操作ハンドルにより調整する調整機構とからなり、一端を打球槌に連繋固定した打球ばねの他端を固定したばね機構のワイヤ巻き掛け部と、打球槌の打球力を調整する操作ハンドル軸と連結される調整機構のワイヤ巻き取り部より径を大としたワイヤ巻き取り部とをワイヤにより連繋させたものとしている。そして、操作ハンドルの打球力調整操作によりワイヤはワイヤ巻き取り部に巻き取られてワイヤを牽引してワイヤ巻き掛け部を回動させる。ワイヤ巻き掛け部の回動によりワイヤ巻き掛け部に他端を固定されている打球ばねは付勢されて打球槌の打球力を変動させるものである。しかし、ワイヤ巻き取り部、ワイヤ巻き掛け部およびワイヤのガイド部は、そのワイヤ巻き掛け面を軸と同心円上に形成していることから、操作ハンドルの操作により牽引されるワイヤ長は常に一定となるため、応答性が悪く遊技可能な飛距離を得るまで打球力を高めるのに時間がかかり、遊技初期に無駄球を打球することとなり遊技者に不快感を与えるという問題があった。しかも、操作ハンドルの操作角度は９０度から１２０度程に設定されているため、操作ハンドルの操作によりワイヤ巻き取り部を９０度回動（略最大）させたとき、ワイヤ巻き取り部とワイヤ巻き掛け部との外径比に基づいてワイヤ巻き掛け部の回動角度は約４０度と固定されるため、部品の寸法精度や組み付け誤差等により操作ハンドルを最大角度まで回しても基準の打球飛距離が出ない場合は、打球ばねの取付位置を変えてばね強さを高めるように再調整し直さねばならず、生産性を低下させる原因となった。さらに、ばね力を直線的に変動させるため、ばね特性の限界付近で打球を行うと微妙な打球力調整を行うことが難しくなるという問題があった。
【０００３】
【発明が解決しようとする課題】
本発明は、応答性が良く、且つばね特性の限界付近においても微妙な打球力調整が行えるうえに、生産性の良好なパチンコ機用打球力調整装置を提供することを目的とするものである。
【０００４】
【課題を解決するための手段】
前述の目的を達成するため本発明は、打球槌の打球力を調整するばね力調整機構に打球力を非直線的に変動させる機構を設けたパチンコ機用打球力調整装置において、ばね力調整機構を、ばね機構と調整機構間をワイヤで連繋したものとしたうえに、打球力を非直線的に変動させる機構を、ばね力調整機構の偏心させた一つまたは複数のワイヤ巻き掛け面としたパチンコ機用打球力調整装置を、請求項１の発明とするものである。
【０００５】
【発明の実施の形態】
次に、本発明の好ましい実施の形態を図１〜５に基づいて詳細に説明する。
１はパチンコ台盤に取り付けられる打球装置であり、該打球装置１は基板１ａに揺動自在に軸支される打球槌３と、該打球槌３に反復枢動運動を行わせる駆動機構４と、打球槌３の打球力を非直線的に変動させる機構２を設けたばね力調整機構５とからなるものである。駆動機構４はステップモータ４ａと、ステップモータ４ａにより回動される勾玉形の旋回子４ｂとよりなる。該旋回子４ｂの旋回軌跡上には打球槌３と連動されるアーム１２の当てピン１３が配置されるようになっている。また、打球槌３の打球力を非直線的に変動させる機構２はばね力調整機構５のばね機構６または調整機構７あるいはこれら双方のワイヤ巻き掛け面に設けられるものである。
【０００６】
前記ばね力調整機構５は打球槌３の取付軸に取り付けられるばね機構６とワイヤ８を介して操作ハンドルＨと連動される調整機構７とからなるもので、前記ばね機構６は、基板１ａに固定される弾球槌３の軸受け筒に遊動自在に軸支されるワイヤ巻き掛けリング９と、打球槌３の取付軸に回り止め嵌合されるアーム取付リング１０と、ワイヤ巻き掛けリング９に一端を係止するとともに他端をアーム取付リング１０に係止させたねじりコイルばね１１とからなる。さらに詳述すれば、ワイヤ巻き掛けリング９にはねじりコイルばね１１端の係止位置を変更するための複数の係止溝９ａと、ワイヤ８の一端を係止する係止部９ｂと、後記する回動子１５のワイヤ巻き取り部１５ａの径より大とした径を有する略扇形のワイヤ巻き掛け部９ｃが形成されている。ワイヤ巻き掛け部９ｃの径をワイヤ巻き取り部１５ａより大きくするのは操作ハンドルＨにより打球力調整に要する力を低減するためである。そして、ワイヤ巻き掛け部９ｃの径が大きくなることにより、ワイヤ巻き掛け部９ｃの回動角度は回動子１５の約半分（従来と略同じ）となる。また、アーム取付リング１０は打球槌３の取付軸の角軸に回り止め嵌合される角孔を形成したキャップ形のもので、その表面には先端に当てピン１３を軸支したアーム１２を嵌合させる浅溝１０ａが形成されるとともに、その周壁にはねじりコイルばね１１端の係止位置を変更するための複数の係止溝１０ｂが形成されている。
【０００７】
また、ばね機構６とワイヤ８を介して連動される調整機構７は、操作ハンドルＨを取り付けるケーシング１４と、ケーシング１４内に軸支されて操作ハンドルＨより回動されるワイヤ巻取り用の回動子１５とよりなるもので、詳述すれば、基板１ａに取り付けられるケーシング１４内に収納軸支される回動子１５は、操作ハンドル軸を嵌合係止させる軸孔１５ｃを回動中心に形成した扇形のものである。そして、ケーシング１４内には回動子１５の回動範囲を１０５度（９０度から１２０度の範囲であれば良い）に規制するストッパ壁が形成されている。また、回動子１５にはワイヤ８の端部を固定する係止部１５ｂと、扇形状のワイヤ巻き取り部１５ａとが形成され、該ワイヤ巻き取り部１５ａのワイヤ巻き掛け面を偏心させることにより打球力を非直線的に変動させる機構２を形成している。該打球力を非直線的に変動させる機構２は図４、５に示されるように、ワイヤ巻き取り部１５ａのワイヤ巻き掛け面を扇形の略中央部で中心軸からの偏心量を最大となるようにして、操作ハンドルＨの操作により偏心量に比例してワイヤ８の巻き掛け量（牽引量）が増大するようにして、打球槌３の打球力を非直線的に増加させるようにしている。この結果、操作ハンドルＨの応答性がよくなり、素早く遊技可能な飛距離を得ることができるうえに、遊技ワイヤ８の牽引量が増すことにより打球力の調整範囲は拡大されることとなり、部品の寸法誤差や組み付け誤差があっても遊技可能な飛距離を得ることができるので、ねじりコイルばね１１の再調整作業が不要となる。１６はワイヤ巻き掛けリング９と回動子１５間に設けられるワイヤ８のガイド部であり、該ガイド部１６にはワイヤ巻き掛け部１６ａが形成されている。
【０００８】
このように構成された打球装置１をパチンコ台盤に取り付けるとともに、該打球装置１の駆動機構４に駆動制御回路を接続してパチンコ台盤に組み込んだうえ、打球装置１に操作ハンドルＨを取り付けて遊技可能な状態とする。そして、遊技者が操作ハンドルＨを把持することにより駆動機構４は起動され、ステップモータ４ａにより旋回子４ｂは旋回運動を開始することとなる。この旋回子４ｂの旋回運動によってこの旋回軌跡上にクロスするように配置されている当てピン１３は旋回子４ｂが一回転する毎にねじりコイルばね１１の付勢力に抗して揺動し、当てピン１３を軸支したアーム１２、アーム取付リング１０を介して打球槌３も揺動されて打球運動を行うこととなる。
【０００９】
この打球槌３の打球動作時、遊技者が操作ハンドルＨを回動操作することにより、操作ハンドルＨと連結されている調整機構７の回動子１５は回動される。回動子１５が回動されると回動子１５に一端を係止させているワイヤ８は回動子１５のワイヤ巻き掛け部１５ａに巻き掛けられてゆく。ワイヤ８を巻き掛けるワイヤ巻き掛け部１５ａのワイヤ巻き掛け面は偏心量が漸増するように偏心されているので、ワイヤ８の牽引量は操作ハンドルＨの回動量に比例して大きくなることとなる。
【００１０】
ワイヤ巻き掛け部１５ａによるワイヤ８の牽引により、ばね機構６のワイヤ巻き掛け部９ｃの係止部９ｂに他端を係止させてワイヤ巻き掛け部９ｃのワイヤ巻き掛け面に巻き掛けられているワイヤ８は、図４から図５に示されるように、回動子１５を９０度回動（略最大）させた際、ワイヤ巻き掛け部９ｃからワイヤ８を巻き戻しつつワイヤ巻き掛け部９ｃは４５度回動（従来は４０度）することとなる。このワイヤ巻き掛け部９ｃの回動は、打球力を非直線的に変動させる機構２の偏心したワイヤ巻き掛け面によって非直線的な回動となるので、一端をワイヤ巻き掛け部９ｃに係止し、他端をアーム取付リング１０に係止させているねじりコイルばね１１も非直線的にねじられることとなる。そして、ねじりコイルばね１１に非直線的なねじりが加えられることによりアーム取付リング１０に取り付けられる打球槌３の打球力も非直線的に変動されることとなるので、操作ハンドルＨを普通に操作しても操作量は拡大されて応答性を高めたものとなり、極めて短時間に遊技可能な飛距離を得ることができる。しかも、ワイヤ巻き掛け部１５ａのワイヤ巻き掛け面を偏心させることにより、ワイヤ巻き掛け部９ｃの回動量は従来より５度程増すので、たとえ、打球装置に部品寸法や組み付けに誤差が多少あっても操作ハンドルＨの操作量だけで遊技可能な飛距離を得られるので、従来のように、ねじりコイルばね１１のばね力の再調整作業を行う必要はない。
【００１１】
また、図６、７に示されるような、打球力を非直線的に変動させる機構２は、略扇形のワイヤ巻き掛け部９ｃのワイヤ巻き掛け面をワイヤ８の係止部９ｂからなだらかに偏心させて、扇形状の終端部付近において偏心量が最大となるようにしたものと、回動子１５のワイヤ巻き取り部１５ａのワイヤ巻き付け面を偏心させてワイヤ巻き取り部１５ａの略中間部で偏心量が最大となるようにしたものとを設けたものとしている。このため、操作ハンドルＨの操作により、図７に示されるように、回動子１５が９０度回動（略最大）してワイヤ８がワイヤ巻き取り部１５ａのワイヤ巻き付け面の最大偏心位置に達したとき、ワイヤ８の牽引量は最大となり、ワイヤ８の牽引量が最大となったとき、ワイヤ巻き掛け部９ｃに巻き掛けられているワイヤ８は最大偏心位置から、偏心量が漸減して行く位置まで巻き戻されるので、操作ハンドルＨの回動操作に要する力は増すこととなるが、ワイヤ巻き掛け部９ｃの回動量は５０度と図４、５に示される実施の形態より５度ほど大きくすることができることとなり、打球力が最大となるねじりコイルばね１１のばね特性の限界付近での操作ハンドルＨの操作量を増やせるので、打球力調整は容易なものとなり、微妙な打球力調整を行うことが可能となる。
【００１２】
また、図８、９に示されるように、ガイド部１６のワイヤ巻き掛け部１６ａに形成されるワイヤ巻き掛け面をカムシャフト形としてその頂部を最大の偏心面とするとともにワイヤ巻き掛け部１６ａと並設される歯車１６ｂを設ける。そして、回動子１５にワイヤ巻き取り部１５ａと、ワイヤ巻き取り部１５ａと並設する歯車１５ｄを形成し、該歯車１５ｄを前記ガイド部１６の歯車１６ｂと噛合させることにより、回動子１５の回動に伴ってガイド部１６が従動されるようにしている。ガイド部１６を従動させることにより、ワイヤ巻き掛け部１６ａのワイヤ巻き掛け面の頂部にワイヤ８が巻き掛けられるときに生じる巻き掛け負荷を軽減し、操作ハンドルＨの操作が重くなったり、ワイヤ８が伸びがること防止するものとしている。また、ワイヤ巻き掛け部１６ａのワイヤ巻き掛け面を偏心させることによって、ねじりコイルばね１１の付勢力を非直線的に変動させて打球槌３の打球力を非直線的に増加させ得るようにしているので、操作ハンドルＨを普通に操作しても操作量は拡大されて応答性は高められ、極めて短時間に遊技可能な飛距離を得ることができるうえに、打球力の調整範囲は拡大されることとなり、部品の寸法誤差や組み付け誤差があっても遊技可能な飛距離を得ることができるので、組み付けられたねじりコイルばね１１のばね力の再調整作業は不要となる。
【００１３】
なお、前記好ましい実施の形態では、ばね力調整機構５に設けられる打球力を非直線的に変動させる機構２をワイヤ巻き掛け部１５ａのワイヤ巻き掛け面またはワイヤ巻き掛け部１６ａのワイヤ巻き掛け面を偏心させるか、ワイヤ巻き掛け部９ｃのワイヤ巻き掛け面とワイヤ巻き掛け部１６ａのワイヤ巻き掛け面を偏心させたものとしているが、打球力を非直線的に変動させる機構２を操作ハンドルＨの回動量を電気量に変換して、その電気量に基づいてワイヤ８を牽引駆動してねじりコイルばね１１のばね力を調整するモータと、該モータの回転速度または回動量を非直線的に変動させる制御回路とからなるものとして、ワイヤ８の牽引量を非直線的に変動させるものとしてもよいもので、このようにモータを制御して打球力を非直線的に変動させることにより、制御回路のＲＯＭを交換したり、ＲＯＭの焼き直しにより自由に打球力の設定を変えることができるので、設定変更がワイヤ巻き掛け面を偏心させたものより打球力の調整をより自由に行うことができることとなる。
【００１４】
【発明の効果】
本発明は前記説明により明らかなように、ばね力調整機構により打球槌の打球力を非直線的に変動させる機構を設けることにより、打球槌の打球力を非直線的に増加させることができるので、操作ハンドルの応答性がよくなり、素早く遊技可能な飛距離を得ることができるうえに、打球力の調整範囲は拡大されるので、従来のように部品寸法や組み付け誤差等により所定の飛距離がでなかった場合に行っていた打球ばねの取付位置の再調整作業を行わなくても、操作ハンドルの操作で十分所定の飛距離を得ることができるから、生産効率を高めることができる。また、打球力の調整を非直線的に行うことができるので、ばね力が最大となるばね特性の限界付近を使用する場合には、操作ハンドルの操作量を増すようにして打球力調整を微妙に行えるようにすることもできる。また、ばね力調整機構をばね機構と調整機構間をワイヤで連繋したものとすることにより、打球力を非直線的に変動させる機構を複数組み込むことができ、調整範囲を容易に広げることができることとなる。ばね力調整機構のワイヤ巻き掛け面を偏心させることにより、従来の基本構造を変えることなくワイヤ巻き掛け部を交換するだけで打球力を非直線的に変動させる機構を容易に組み込むことができるので打球装置を安価に改造することができる等種々の利点を要するものである。従って、本発明は従来の問題を解消したパチンコ機用打球力調整装置として業界の発展に寄与するところ大なものである。
【図面の簡単な説明】
【図１】本発明の好ましい実施の形態を示す正面図である。
【図２】本発明の好ましい実施の形態を示す背面図である。
【図３】本発明の好ましい実施の形態を示す側面図である。
【図４】回動子のワイヤ巻き掛け面を偏心させた本発明の好ましい実施の形態の動作をを示す説明図である。
【図５】回動子のワイヤ巻き掛け面を偏心させた本発明の好ましい実施の形態の動作を図４とは異ならせて示す説明図である。
【図６】ガイド部のワイヤ巻き掛け面を偏心させた本発明の他の好ましい実施の形態の動作を示す説明図である。
【図７】ガイド部のワイヤ巻き掛け面を偏心させた本発明の他の好ましい実施の形態の動作を図６とは異ならせて示す説明図である。
【図８】回動子とワイヤ巻き掛けリングのワイヤ巻き掛け面を偏心させた本発明の他の好ましい実施の形態の動作を示す説明図である。
【図９】回動子とワイヤ巻き掛けリングのワイヤ巻き掛け面を偏心させた本発明の他の好ましい実施の形態の動作を図８と異ならせて示す説明図である。
【符号の説明】
２  打球槌の打球力を非直線的に変動させる機構
３  打球槌
５  ばね力調整機構
６  ばね機構
７  調整機構
８  ワイヤ
【図１】
0004371490.tif 000002
【図２】
0004371490.tif 000003
【図３】
0004371490.tif 000004
【図４】
0004371490.tif 000005
【図５】
0004371490.tif 000006
【図６】
0004371490.tif 000007
【図７】
0004371490.tif 000008
【図８】
0004371490.tif 000009
【図９】
0004371490.tif 000010